(57)【要約】      （修正有）【課題】使用寿命が延び、材料コストが低減し、使用上の安全性が向上する携帯型折り畳みカートを提供する。【解決手段】カートフレームＡを含み、当該カートフレームＡは折り畳みフレームＡ１及びキャスタ２０を含み、当該折り畳みフレームＡ１は、矩形を取り囲む４つのはさみ機構１１、１２を含み、当該はさみ機構１１、１２は少なくとも１つのはさみユニットを含み、隣接する２つのはさみ機構１１、１２ごとに、上端部が上部接続座１３を介して回転接続されており、下端部が下部接続座１４を介して回転接続されており、当該下部接続座１４には支持ロッド１６が接続されており、当該支持ロッド１６は、下端が下部接続座１４に挿通されるとともに当該キャスタ２０が下端に接続されており、当該支持ロッド１６の上端には摺動接続部材１７が回転接続されており、当該摺動接続部材１７ははさみ機構１１、１２のはさみユニットに摺接している。【選択図】図３
0003217563.tif 000002
【実用新案登録請求の範囲】
【請求項１】
カートフレームを含み、当該カートフレームは折り畳みフレーム及びキャスタを含み、当該折り畳みフレームは、矩形を取り囲む４つのはさみ機構を含み、当該はさみ機構は少なくとも１つのはさみユニットを含み、隣接する２つのはさみ機構ごとに、上端部が上部接続座を介して回転接続されており、下端部が下部接続座を介して回転接続されている携帯型折り畳みカートにおいて、
当該下部接続座には支持ロッドが回転接続されており、当該下部接続座には貫通孔が設けられており、当該下部接続座における貫通孔の周縁は、上方に延伸して支持ロッドが挿通される周壁をなしており、当該支持ロッドは、下端が周壁及び貫通孔に挿通されるとともに当該キャスタが下端に接続されており、当該支持ロッドの上端には摺動接続部材が回転接続されており、当該摺動接続部材ははさみ機構のはさみユニットに摺接していることを特徴とする携帯型折り畳みカート。
【請求項２】
当該はさみユニットは中央部が回転接続される２つの接続ロッドを含み、
当該４つのはさみ機構は、左右に間隔を置いて配置される２つの第１はさみ機構と、前後に間隔を置いて配置される２つの第２はさみ機構に分けられ、当該第１はさみ機構のうち矩形の角に対応するはさみユニットにおける接続ロッドの上部には、前記摺動接続部材が摺接していることを特徴とする請求項１に記載の携帯型折り畳みカート。
【請求項３】
当該上部接続座は直角に配置される２つの上部回転接続位置を含み、当該２つの上部回転接続位置はそれぞれ第１はさみ機構における接続ロッドの上端部及び第２はさみ機構における接続ロッドの上端部に回転接続されており、  当該下部接続座は直角に配置される２つの第１下部回転接続位置を含み、当該２つの第１下部回転接続位置はそれぞれ第１はさみ機構における接続ロッドの下端部及び第２はさみ機構における接続ロッドの下端部に回転接続されていることを特徴とする請求項２に記載の携帯型折り畳みカート。
【請求項４】
当該支持ロッドの先端には固定座が固設されており、当該固定座には凸条が設けられており、当該凸条と摺動接続部材は回転接続されており、当該凸条の先端は固定座の先端面に位置しており、且つ、折り畳みフレームが展開状態の場合、当該上部接続座と固定座の先端面との間には間隔が保持されることを特徴とする請求項１に記載の携帯型折り畳みカート。
【請求項５】
当該第１はさみ機構は、前後に配置される少なくとも２つのはさみユニットを含み、当該第２はさみ機構は少なくとも１つのはさみユニットを含むことを特徴とする請求項２に記載の携帯型折り畳みカート。
【請求項６】
当該第１はさみ機構における隣接する２つのはさみユニットごとに、下端部が第１中央接続座により回転接続されており、上端部が第２中央接続座により回転接続されており、
当該折り畳みフレームは更に底部フレームを含み、当該底部フレームは、第１はさみ機構におけるはさみユニットの数と同数の前後に配列される放射機構を含み、当該放射機構は、中央座及び中央座に回転接続可能な４本の底部ロッドを含み、当該放射機構における底部ロッドの基端は、対応する第１中央接続座又は下部接続座に回転接続されていることを特徴とする請求項５に記載の携帯型折り畳みカート。
【請求項７】
当該第１中央接続座には、前後に隣接する２つの放射機構における底部ロッドの基端が双方ともに接続されていることを特徴とする請求項６に記載の携帯型折り畳みカート。
【請求項８】
当該第１中央接続座は、固定接続される２つの第２下部回転接続位置と２つの中央回転接続位置を含み、当該２つの第２下部回転接続位置は、隣接する２つのはさみユニットにおける接続ロッドの下端部にそれぞれ回転接続されており、当該２つの中央回転接続位置は、前後に隣接する２つの放射機構における底部ロッドの基端にそれぞれ回転接続されていることを特徴とする請求項７に記載の携帯型折り畳みカート。
【請求項９】
当該２つの第２下部回転接続位置は左右に間隔を置いて配置されており、当該２つの中央回転接続位置は、第２下部回転接続位置の側方に固設されて八の字形状に配置されていることを特徴とする請求項８に記載の携帯型折り畳みカート。
【請求項１０】
更に、可撓性材料からなる箱部を含み、当該箱部は折り畳みフレーム内に装着されるとともに底部フレームに支持されており、且つ、当該箱部と全ての放射機構における中央座が接続されていることを特徴とする請求項６に記載の携帯型折り畳みカート。
【請求項１１】
更に、牽引ロッド機構を含み、当該第２はさみ機構ははさみユニットを含み、当該２つの第２はさみ機構のうち一方の第２はさみ機構におけるはさみユニットは、２つの接続ロッドが位置決め座を介して接続されており、当該位置決め座には第１位置決め溝が設けられており、
当該牽引ロッド機構は、第１牽引ロッド、第１牽引ロッドに回転接続される第２牽引ロッド、及び第２位置決め溝を含み、当該第１牽引ロッドは位置決め座に回転接続されており、当該第２牽引ロッドは第１位置決め溝及び第２位置決め溝の双方に組み付けられることを特徴とする請求項２に記載の携帯型折り畳みカート。
【請求項１２】
当該牽引ロッド機構は、２つの第１牽引ロッド、１つの第２牽引ロッド及び組付座を含み、当該２つの第１牽引ロッドは間隔を置いて配置されており、且つ、一端がいずれも位置決め座に回転接続されるとともに、他端が組付座により固定接続されており、
当該第２牽引ロッドは当該組付座に回転接続されており、且つ、当該第２位置決め溝は当該組付座に設けられていることを特徴とする請求項１１に記載の携帯型折り畳みカート。
【考案の詳細な説明】
【技術分野】
【０００１】
本考案は携帯型カートに関し、特に、携帯型折り畳みカートに関する。
【背景技術】
【０００２】
特許文献１、特許文献２、特許文献３のような従来の携帯型折り畳みカートは、カートフレームを含み、当該カートフレームが折り畳みフレームとキャスタを含む。当該折り畳みフレームは、矩形を取り囲む４つのはさみ機構と４本の伸縮管を含む。当該はさみ機構は少なくとも１つのはさみユニットを含み、隣接する２つのはさみ機構ごとに、上端部が上部接続座を介して回転接続されており、下端部が下部接続座を介して回転接続されている。当該伸縮管の上端は上部接続座に固定接続されており、下端は下部接続座に固定及び挿通されている。また、当該キャスタは伸縮管の下端に装着されている。ここで、従来の携帯型折り畳みカートには次のような瑕疵が存在する。第一に、折り畳みフレームの伸縮管が常にまっすぐな状態を維持していることから、開閉やカートの走行過程で伸縮管がトルクを受けることになり、トルクの作用によって折り畳みフレームの使用寿命が縮んでしまう。第二に、伸縮管は２つのパイプ部材を含むことから材料コストが嵩む。第三に、開放過程で伸縮管により手を挟む恐れがあり、使用上の安全性向上が望まれる。
【先行技術文献】
【特許文献】
【０００３】
【特許文献１】中国特許出願第ＣＮ２０１２１０２９３５７１．Ｘ号
【特許文献２】中国特許出願第ＣＮ２０１２１０５７２４９９．４号
【特許文献３】米国特許第ＵＳ９０７３５６４Ｂ２号
【考案の概要】
【考案が解決しようとする課題】
【０００４】
本考案は、背景技術の携帯型折り畳みカートに存在する瑕疵を解消する携帯型折り畳みカートを提供する。
【課題を解決するための手段】
【０００５】
本考案は、技術的課題を解決するために以下の技術方案を用いる。
【０００６】
即ち、携帯型折り畳みカートにおいて、カートフレームを含み、当該カートフレームは折り畳みフレーム及びキャスタを含み、当該折り畳みフレームは、矩形を取り囲む４つのはさみ機構を含み、当該はさみ機構は少なくとも１つのはさみユニットを含み、隣接する２つのはさみ機構ごとに、上端部が上部接続座を介して回転接続されており、下端部が下部接続座を介して回転接続され、当該下部接続座には支持ロッドが回転接続されており、当該下部接続座には貫通孔が設けられており、当該下部接続座における貫通孔の周縁は、上方に延伸して支持ロッドが挿通される周壁をなしており、当該支持ロッドは、下端が周壁及び貫通孔に挿通されるとともに当該キャスタが下端に接続されており、当該支持ロッドの上端には摺動接続部材が回転接続されており、当該摺動接続部材ははさみ機構のはさみユニットに摺接している。
【０００７】
一の実施例において、当該はさみユニットは中央部が回転接続される２つの接続ロッドを含み、当該４つのはさみ機構は、左右に間隔を置いて配置される２つの第１はさみ機構と、前後に間隔を置いて配置される２つの第２はさみ機構に分けられ、当該第１はさみ機構のうち矩形の角に対応するはさみユニットにおける接続ロッドの上部には、前記摺動接続部材が摺接している。
【０００８】
一の実施例において、当該上部接続座は直角に配置される２つの上部回転接続位置を含み、当該２つの上部回転接続位置はそれぞれ第１はさみ機構における接続ロッドの上端部及び第２はさみ機構における接続ロッドの上端部に回転接続されており、当該下部接続座は直角に配置される２つの第１下部回転接続位置を含み、当該２つの第１下部回転接続位置はそれぞれ第１はさみ機構における接続ロッドの下端部及び第２はさみ機構における接続ロッドの下端部に回転接続されている。
【０００９】
一の実施例において、当該支持ロッドの先端には固定座が固設されており、当該固定座には凸条が設けられており、当該凸条と摺動接続部材は回転接続されており、当該凸条の先端は固定座の先端面に位置しており、且つ、折り畳みフレームが展開状態の場合、当該上部接続座と固定座の先端面との間には間隔が保持される。
【００１０】
一の実施例において、当該第１はさみ機構は、前後に配置される少なくとも２つのはさみユニットを含み、当該第２はさみ機構は少なくとも１つのはさみユニットを含む。
【００１１】
一の実施例において、当該第１はさみ機構における隣接する２つのはさみユニットごとに、下端部が第１中央接続座により回転接続されており、上端部が第２中央接続座により回転接続されており、当該折り畳みフレームは更に底部フレームを含み、当該底部フレームは、第１はさみ機構におけるはさみユニットの数と同数の前後に配列される放射機構を含み、当該放射機構は、中央座及び中央座に回転接続可能な４本の底部ロッドを含み、当該放射機構における底部ロッドの基端は、対応する第１中央接続座又は下部接続座に回転接続されている。
【００１２】
一の実施例において、当該第１中央接続座には、前後に隣接する２つの放射機構における底部ロッドの基端が双方ともに接続されている。
【００１３】
一の実施例において、当該第１中央接続座は、固定接続される２つの第２下部回転接続位置と２つの中央回転接続位置を含み、当該２つの第２下部回転接続位置は、隣接する２つのはさみユニットにおける接続ロッドの下端部にそれぞれ回転接続されており、当該２つの中央回転接続位置は、前後に隣接する２つの放射機構における底部ロッドの基端にそれぞれ回転接続されている。
【００１４】
一の実施例において、当該２つの第２下部回転接続位置は左右に間隔を置いて配置されており、当該２つの中央回転接続位置は、第２下部回転接続位置の側方に固設されて八の字形状に配置されている。
【００１５】
一の実施例において、更に、可撓性材料からなる箱部を含み、当該箱部は折り畳みフレーム内に装着されるとともに底部フレームに支持されており、且つ、当該箱部と全ての放射機構における中央座が接続されている。
【００１６】
一の実施例において、更に、牽引ロッド機構を含み、当該第２はさみ機構ははさみユニットを含み、当該２つの第２はさみ機構のうち一方の第２はさみ機構におけるはさみユニットは、２つの接続ロッドが位置決め座を介して接続されており、当該位置決め座には第１位置決め溝が設けられており、当該牽引ロッド機構は、第１牽引ロッド、第１牽引ロッドに回転接続される第２牽引ロッド、及び第２位置決め溝を含み、当該第１牽引ロッドは位置決め座に回転接続されており、当該第２牽引ロッドは第１位置決め溝及び第２位置決め溝の双方に組み付けられる。
【００１７】
一の実施例において、当該牽引ロッド機構は、２つの第１牽引ロッド、１つの第２牽引ロッド及び組付座を含み、当該２つの第１牽引ロッドは間隔を置いて配置されており、且つ、一端がいずれも位置決め座に回転接続されるとともに、他端が組付座により固定接続されており、当該第２牽引ロッドは当該組付座に回転接続されており、且つ、当該第２位置決め溝は当該組付座に設けられている。
【考案の効果】
【００１８】
本技術方案には、背景技術と比較して次のような利点がある。
【００１９】
下部接続座には貫通孔が設けられており、支持ロッドが当該貫通孔に挿通されている。更に、支持ロッドは当該下部接続座に回転接続されている。下部接続座には支持ロッドが回転接続されており、支持ロッドは、下端が周壁及び貫通孔に挿通されるとともに、当該キャスタが下端に接続されている。また、支持ロッドの上端は摺動接続部材を介してはさみ機構のはさみユニットに摺接している。このことから、次のような技術的効果が得られる。第一に、支持ロッドの上端は摺動接続部材を介してはさみユニットに接続されている。支持ロッドとはさみユニットが動作可能に接続されているため、支持ロッドの展開又は折り畳み過程や走行過程で発生するトルクを吸収又は部分的に吸収可能となり、使用寿命が延びる。第二に、支持ロッドの上端は摺動接続部材を介してはさみユニットに接続されているため、開放又は折り畳みが容易となり、開放又は折り畳み時に要する力が軽減される。第三に、支持ロッドを用いることで材料コストが低減する。第四に、開放又は折り畳み過程で手を挟む恐れがなく、使用上の安全性が向上する。第五に、構造がコンパクトで組み付けやすく、支持ロッドと下部接続座との接続強度が強化される。
【００２０】
折り畳みフレームは更に底部フレームを含む。底部フレームは、第１はさみ機構におけるはさみユニットの数と同数の前後に配列される放射機構を含む。放射機構は、中央座及び中央座に回転接続可能な４本の底部ロッドを含み、放射機構における底部ロッドの基端は、対応する第１中央接続座又は下部接続座に回転接続されている。第１中央接続座ごとに放射機構が接続されていることから、第１はさみ機構の中央部の揺れが回避され、底部の支持がより堅固となるよう強化される。
【００２１】
第１中央接続座には、前後に隣接する２つの放射機構における底部ロッドの基端が双方ともに接続されているため、構造が簡略化され、堅牢性が強化される。
【００２２】
第１中央接続座は、固定接続される２つの第２下部回転接続位置と２つの中央回転接続位置を含むため、構造が簡略化され、堅牢性が強化される。
【００２３】
牽引ロッド機構は、第１牽引ロッド、第１牽引ロッドに回転接続される第２牽引ロッド、及び第２位置決め溝を含み、第１牽引ロッドは位置決め座に回転接続されており、第２牽引ロッドは第１位置決め溝及び第２位置決め溝の双方に組み付けられる。よって、折り畳み後の構造がコンパクトとなり、占有体積が縮小される。
【００２４】
牽引ロッド機構は、２つの第１牽引ロッド、１つの第２牽引ロッド及び組付座を含む。当該２つの第１牽引ロッドは間隔を置いて配置されており、且つ、一端がいずれも位置決め座に回転接続されるとともに、他端が組付座により固定接続されている。また、第２牽引ロッドは当該組付座に回転接続されており、且つ、当該第２位置決め溝は当該組付座に設けられている。よって、接続が堅固且つ確実となる。
【００２５】
以下に、図面と具体的実施形態を組み合わせて本考案につき更に説明する。
【図面の簡単な説明】
【００２６】
【図１】図１は、本具体的実施形態における携帯型折り畳みカートの斜視図１である。
【図２】図２は、本具体的実施形態における携帯型折り畳みカートの斜視図２である。
【図３】図３は、本具体的実施形態におけるカートフレームが展開状態の場合の斜視図である。
【図４】図４は、本具体的実施形態におけるカートフレームが半折り畳みの場合の斜視図１である。
【図５】図５は、本具体的実施形態におけるカートフレームが半折り畳みの場合の斜視図２である。
【図６】図６は、本具体的実施形態におけるカートフレームが折り畳み状態の場合の斜視図である。
【図７】図７は、牽引ロッド機構が使用状態の場合の本具体的実施形態におけるカートフレームの斜視図である。
【図８】図８は、牽引ロッド機構が折り畳み状態の場合の本具体的実施形態におけるカートフレームの斜視図である。
【図９】図９は、本具体的実施形態における牽引ロッド機構の分解斜視図である。
【図１０】図１０は、図４のＡ部分の拡大図である。
【考案を実施するための形態】
【００２７】
図１〜図１０を参照して、携帯型折り畳みカートはカートフレームＡを含む。当該カートフレームＡは、折り畳みフレームＡ１、キャスタ２０及び牽引ロッド機構３０を含む。
【００２８】
当該折り畳みフレームＡ１は、矩形を取り囲む４つのはさみ機構と底部フレームを含む。当該折り畳みフレームＡ１は、展開状態又は折り畳み状態となるよう開放又は折り畳み可能である。
【００２９】
当該４つのはさみ機構は、左右に間隔を置いて配置される２つの第１はさみ機構１１と、前後に間隔を置いて配置される２つの第２はさみ機構１２に分けられる。当該第１はさみ機構１１は前後に配置される２つのはさみユニットを含み、当該第２はさみ機構１２は１つのはさみユニットを含む。ただし、第１はさみ機構１１及び第２はさみ機構１２のはさみユニットの数は上記に限らない。平面視で矩形のカバー型フレームとなるよう、隣接する２つのはさみ機構ごとに、上端部が上部接続座１３を介して回転接続されており、下端部が下部接続座１４を介して回転接続されている。また、当該はさみユニットは、中央部が回転接続される２つの接続ロッド１５を含む。
【００３０】
具体的構造において、当該上部接続座１３は直角に配置される２つの上部回転接続位置を含み、当該２つの上部回転接続位置がそれぞれ第１はさみ機構１１における接続ロッド１５の上端部及び第２はさみ機構１２における接続ロッド１５の上端部に回転接続されている。当該下部接続座１４は直角に配置される２つの第１下部回転接続位置を含み、当該２つの第１下部回転接続位置がそれぞれ第１はさみ機構１１における接続ロッド１５の下端部及び第２はさみ機構１２における接続ロッド１５の下端部に回転接続されている。また、当該第１はさみ機構１１における隣接する２つのはさみユニットごとに、接続ロッド１５は下端部が第１中央接続座１８１により回転接続されており、上端部が第２中央接続座１８２により回転接続されている。
【００３１】
また、当該下部接続座１４ごとに支持ロッド１６が接続されている。当該支持ロッド１６は下端が下部接続座１４に挿通されており、且つ、下端には当該キャスタ２０が接続されている。当該支持ロッド１６の上端には摺動接続部材１７が回転接続されており、当該摺動接続部材１７は当該第１はさみ機構１１におけるはさみユニットの接続ロッド１５に摺接している。
【００３２】
具体的構造において、当該下部接続座１４には貫通孔が設けられている。当該貫通孔の周縁は上方へ延伸して周壁１４１をなしており、当該支持ロッド１６は当該周壁１４１及び貫通孔に挿通されている。また、支持ロッド１６と下部接続座１４を回転接続すべく、周壁１４１と支持ロッド１６に挿通される回転軸が配設されている。当該支持ロッド１６の下端にはキャスタフレーム２１が装着されており、当該キャスタ２０が当該キャスタフレーム２１に装着されている。また、当該摺動接続部材１７には第１凸条１７１が突設されており、当該支持ロッド１６の先端には固定座１６１が固設されている。当該固定座１６１には斜め上方に配置される第２凸条１６２が設けられており、当該第２凸条１６２と摺動接続部材１７の第１凸条が回転接続されている。当該第２凸条１６２の先端は固定座１６１の先端面に位置しており、折り畳みフレームが展開状態の場合には、ユーザが手を入れて開閉しやすく、且つ手を挟むことのないよう、当該上部接続座１３と固定座１６１の先端面との間に間隔Ａ２が保持される。当該摺動接続部材１７は、第１はさみ機構１１のうち矩形の角に対応するはさみユニットにおける接続ロッド１５の上部に摺接している。当該上部接続座１３は、当該摺動接続部材の上方への摺動における位置規制機構を構成している。当該摺動接続部材１７が上部接続座１３に突き当たると、折り畳みフレームは展開状態となる。
【００３３】
当該底部フレームは、第１はさみ機構１１におけるはさみユニットの数と同数の前後に配列される放射機構を含む。当該放射機構は、中央座１９１及び中央座１９１に回転接続可能な４本の底部ロッド１９２を含む。当該放射機構における底部ロッド１９２の基端は、対応する第１中央接続座１８１又は下部接続座１４に回転接続されている。具体的構造において、当該第１中央接続座１８１には、前後に隣接する２つの放射機構における底部ロッド１９２の基端が双方ともに接続されている。一方の当該放射機構における２つの底部ロッド１９２は２つの下部接続座１４にそれぞれ回転接続されており、他方の放射機構における２つの底部ロッド１９２は別の２つの下部接続座１４にそれぞれ回転接続されている。また、当該放射機構における残りの底部ロッド１９２は、第１中央接続座１８１に回転接続されている。当該第１中央接続座１８１は、固定接続される２つの第２下部回転接続位置と２つの中央回転接続位置１８３を含む。当該２つの第２下部回転接続位置は、隣接する２つのはさみユニットにおける接続ロッド１５の下端部にそれぞれ回転接続されており、当該２つの中央回転接続位置１８３は、前後に隣接する２つの放射機構における底部ロッド１９２の基端にそれぞれ回転接続されている。また、当該２つの第２下部回転接続位置は左右に間隔を置いて配置されており、当該２つの中央回転接続位置は、第２下部回転接続位置の側方に固設されて八の字形状に配置されている。
【００３４】
当該携帯型折り畳みカートは可撓性材料からなる箱部４０を更に含み、当該箱部４０は折り畳みフレーム内に装着される。具体的構造において、当該箱部４０は、底壁と、底壁の周縁が上方に延伸してなる周壁を含む。当該周壁は、はさみ機構の内側に覆接される。最適には、当該周壁は上部接続座１３に接続されて、更には、第２中央接続座１８２に接続されてもよい。また、最適には、箱部４０の底壁は底部フレームに支持される。当該箱部４０の底壁と全ての放射機構の中央座１９１は、箱部４０の底壁が持ち上げられる際に中央座１９１もまた上方に動作可能となり、放射機構が折り畳まれるよう接続されている。よって、これら放射機構を同時に折り畳むことで、折り畳みフレームを折り畳みやすくなっている。最適には、当該箱部４０の底壁には引手部が設けられる。当該引手部は底壁の中央に位置し、ユーザが当該引手部を引くことで折り畳みフレームを折り畳み可能となる。
【００３５】
当該２つの第２はさみ機構１２のうち一方の第２はさみ機構１２におけるはさみユニットは、２つの接続ロッド１５が位置決め座１５１を介して接続されている。
【００３６】
また、当該牽引ロッド機構３０は、２つの第１牽引ロッド３１、１つの第２牽引ロッド３２及び組付座３３を含む。当該２つの第１牽引ロッド３１は間隔を置いて配置されている。且つ、一端がいずれも位置決め座１５１に回転接続されるとともに、他端が組付座３３により固定接続されている。当該第２牽引ロッド３１は当該組付座３３に回転接続されるとともに、２つの第１牽引ロッド３１の間に介在可能とされる。当該位置決め座１５１には第１位置決め溝１５２が設けられており、当該組付座３３には第２位置決め溝３３１が設けられている。第２牽引ロッド３２が第１牽引ロッド３１に対して回転することで、牽引ロッド機構３０は使用状態又は折り畳み状態となる。使用状態の場合、当該第１牽引ロッド３１は第２位置決め溝３３１内に係接されて使用状態を維持し、折り畳み状態の場合、当該第１牽引ロッド３１は第１位置決め溝１５２内に係接されて折り畳み状態を維持する。
【００３７】
以上は本考案の好ましい実施例にすぎず、これにより本考案の実施範囲が限定されることはない。即ち、本考案の請求の範囲及び明細書の内容に基づいて実施される等価の変形及び補足は、いずれも本考案の範囲に属する。
【図１】
0003217563.tif 000003
【図２】
0003217563.tif 000004
【図３】
0003217563.tif 000005
【図４】
0003217563.tif 000006
【図５】
0003217563.tif 000007
【図６】
0003217563.tif 000008
【図７】
0003217563.tif 000009
【図８】
0003217563.tif 000010
【図９】
0003217563.tif 000011
【図１０】
0003217563.tif 000012